(57)【要約】髪を毛根部から巻いてパーマを掛けることができる新規な構成のパーマ用具を提供する。ホルダーと、ホルダーに結合されたピン支持具と、ピン支持具に着脱可能に結合され、その外周面に髪が巻かれてセッティングされるようにするセッティングピンと、セッティングピンの周囲の一部を部分的に囲んでその端部がホルダーまたはピン支持具に回動可能に結合され、その回動によってピン支持具に結合されたセッティングピンに近接するかまたは離隔するカールプレートと、を供える毛根部パーマ用具であって、カールプレートの長さ方向の一側端には、くしが一体に形成されることを特徴とするパーマ用具が提供される。【選択図】図３
2012519020.tif 000002
【特許請求の範囲】
【請求項１】
ホルダー（１１０）と、
前記ホルダー（１１０）に結合されたピン支持具（１３０）と、
前記ピン支持具（１３０）に着脱可能に結合され、その外周面に髪（１）が巻かれてセッティングされるようにするセッティングピン（１４０）と、
前記セッティングピン（１４０）の周囲の一部を部分的に囲んでその端部が前記ホルダー（１１０）または前記ピン支持具（１３０）に回動可能に結合され、その回動によって前記ピン支持具（１３０）に結合された前記セッティングピン（１４０）に近接するかまたは離隔するカールプレート（１５０）と、
を供える毛根部パーマ用具であって、
前記カールプレート（１５０）の長さ方向の一側端には、くし（１５８）が一体に形成されることを特徴とするパーマ用具。
【請求項２】
前記セッティングピン（１４０）の周囲面を囲む断面形状からなり、前記セッティングピン（１４０）の周囲面に弾性的に装着されて、前記セッティングピン（１４０）に挟まれた前記髪（１）が解けないように固定する固定キャップ（１６０）をさらに備えることを特徴とする請求項１に記載のパーマ用具。
【請求項３】
前記セッティングピン（１４０）の一端部の外周面には前記セッティングピン（１４０）の長さ方向に沿って延びる鋸歯（１４６）が形成され、前記固定キャップ（１６０）の内周面には前記鋸歯（１４６）が係止される係止あご（１６２）が形成され、前記鋸歯（１４６）と前記係止あご（１６２）によって前記固定キャップ（１６０）と前記セッティングピン（１４０）が無駄に回らないようにすることを特徴とする請求項２に記載のパーマ用具。
【発明の詳細な説明】
【技術分野】
【０００１】
本発明はパーマ用具に関し、特に、髪の毛根部から巻いてパーマを掛けることができる新規な構成のパーマ用具に関する。
【背景技術】
【０００２】
本出願人によって「毛根部パーマ用具」が大韓民国特許第０４９９８６号に開示されている。このような毛根部パーマ用具を用いると、毛根部のみに部分的にパーマを掛けることができる利点がある。
図１は、このような従来の毛根部パーマ用具を示す図であり、図２は、このパーマ用具を用いてパーマを掛ける過程を示す工程図である。図１及び図２に示すように、従来の毛根部パーマ用具は、ホルダー１１０と、このホルダー１１０に結合されたピン支持具１３０と、このピン支持具１３０に着脱可能に結合され、その外周面に髪が巻かれてセッティングされるセッティングピン１４０と、ホルダー１１０またはピン支持具１３０に回動可能に結合され、その回動によって、ピン支持具１３０に結合されたセッティングピン１４０に近づくかまたは離れるカールプレート１５０とを含む。輪ゴム２は、髪１１を固定するためにセッティングピン１４０に巻かれている。
このような毛根部パーマ用具は、セッティングピン１４０とカールプレート１５０とで所定量の髪を挟み、セッティングピン１４０とカールプレート１５０を回転させて、セッティングピン１４０とカールプレート１５０の間に挟まれた髪の部分が、挟まれた髪の毛根に近い部分の間を通過するようにして、髪がセッティングピン１４０に巻かれるようにする。このような過程で、セッティングピン１４０とカールプレート１５０に挟まれた髪の部分が毛根に近い部分の間を通過するようにするためには、図２に示すように、別途のくし４を髪の毛根部に刺して髪が通過できる隙間を形成しなければならない。くし４を髪に刺すと、くし４の歯の部分によって髪が分割されて一定の間隔ごとに隙間が形成される。そして、この隙間を通してセッティングピン１４０とカールプレート１５０に挟まれた髪の部分が毛根に近い部分の間を通過するようになる。このようにして、髪が通過した後、細長状のロッドなどを用いて隙間を通過した髪を引き出すと、髪がセッティングピン１４０に巻かれる。
しかしながら、使用者が片手でパーマ用具を持って回しながら、同時に他の手ではくし４を髪１に刺して髪の間に隙間を作らなければならないので、作業が非常に煩わしい。さらに、髪１が毛根部を通過すると、上述のように、通過した部分をロッドなどで引き出さなければならないので、作業が非常に困難且つ複雑である。
【発明の概要】
【発明が解決しようとする課題】
【０００３】
上記に鑑み、本発明の目的は、髪の毛根部から巻いてパーマを掛けることができるだけでなく、施術の際に別個のくしを使う必要がないので、使用が便利であり、セッティングピンに巻かれた髪を容易に固定することができる新規な構造のパーマ用具を提供することにある。
【課題を解決するための手段】
【０００４】
本発明の一態様によると、ホルダーと、ホルダーに結合されたピン支持具と、ピン支持具に着脱可能に結合され、その外周面に髪が巻かれてセッティングされるようにするセッティングピンと、セッティングピンの周囲の一部を部分的に囲んでその端部がホルダーまたはピン支持具に回動可能に結合され、その回動によってピン支持具に結合されたセッティングピンに近接するかまたは離隔するカールプレートと、を供える毛根部パーマ用具であって、カールプレートの長さ方向の一側端には、くしが一体に形成されることを特徴とするパーマ用具が提供される。
本発明の別の態様によると、セッティングピンの周囲面を囲む断面形状からなり、セッティングピンの周囲面に弾性的に装着されて、セッティングピンに挟まれた髪が解けないように固定する固定キャップをさらに備えることを特徴とするパーマ用具が提供される。
本発明のさらに別の態様によると、セッティングピンの一端部の外周面にはセッティングピンの長さ方向に沿って延びる鋸歯が形成され、固定キャップの内周面には鋸歯が係止される係止あごが形成され、鋸歯と係止あごによって固定キャップとセッティングピンが無駄に回らないようにすることを特徴とするパーマ用具が提供される。
【発明の効果】
【０００５】
本発明によると、施術の際に適量の髪１をセッティングピン１４０とカールプレート１５０で挟んでカールプレート１５０を回転させると、カールプレート１５０のくし１５８がセッティングピン１４０とカールプレート１５０の間に挟まれた髪１の毛根に近い部分を通過しながら髪がくし１５８によって分割され、髪１の間に隙間が発生する。この隙間にセッティングピン１４０とカールプレート１５０の間に挟まれた髪が通過して、髪がセッティングピン１４０に巻かれるようになる。したがって、従来のように別個のくしを使用してセッティングピン１４０とカールプレート１５０に挟まれた髪１が通過する隙間を作る必要がないので、施術が非常に容易である。さらに、施術の際にカールプレート１５０に形成されたくし１５８で髪１を梳くことができる利点もある。
また、セッティングピン１４０に弾性的に付着する固定キャップ１６０が備えられて、従来のようにセッティングピン１４０に輪ゴムをかけて髪１を固定する必要がないので、使用が便利である。また、輪ゴムを使用する場合には髪１に輪ゴムの跡が残ることもあるが、本発明による固定キャップ１６０を使用すると、そういった心配もなくなる。
また、セッティングピン１４０の外周面にセッティングピン１４０の長さ方向に沿って延びる鋸歯１４６が形成され、固定キャップ１６０の内周面に鋸歯１４６が係止される係止突起１６２が形成されることによって、鋸歯１４６が係止突起１６２に係止されてセッティングピン１４０と固定キャップ１６０が無駄に回らないので、セッティングピン１４０に巻かれた髪が解けず効果的に固定される。
【図面の簡単な説明】
【０００６】
【図１】従来の毛根部パーマ用具を示す図である。
【図２】パーマ用具でパーマを掛ける過程を示す工程図である。
【図３】本発明の一実施形態によるパーマ用具を示す分解斜視図である。
【図４】本実施形態によるパーマ用具の断面図である。
【図５】本実施形態によるパーマ用具を用いてパーマを掛ける過程を示す工程図である。
【図６】本実施形態で使用される固定キャップを示す斜視図である。
【図７】本発明の他の実施形態によるパーマ用具を示す分解斜視図である。
【図８】本発明の他の実施形態によるパーマ用具を示す断面図である
【発明を実施するための形態】
【０００７】
以下、図面を参照しながら本発明の好ましい実施形態について説明する。図３は、本発明の一実施形態によるパーマ用具を示す分解斜視図であり、図４は、その内部構成を示す断面図であり、図５は、パーマ用具でパーマを掛ける過程を示す図である。図面に示すように、本発明によるパーマ用具は、ホルダー１１０と、ホルダー１１０に回転可能に結合された連結具１２０と、連結具１２０に一部が挿入結合されたピン支持具１３０と、ピン支持具１３０に着脱可能に結合されるセッティングピン１４０と、セッティングピン１４０と近づく方向または離れる方向に回動可能であるようにピン支持具１３０に結合されたカールプレート１５０とを主として有する。
ホルダー１１０と連結具１２０の結合部分には、それぞれ結合突起１１２とこの結合突起１１２が挿入される結合溝１２２が形成される。それのよって、ホルダー１１０と連結具１２０は、結合突起１１２と結合溝１２２によって回転可能に相互結合される。そして、連結具１２０は、その内周面にピン支持具１３０の係止突起１３５が係止される係止溝１２４が形成され、ホルダー１１０に対してピン支持具１３０と一体に回転する。連結具１２０の外側開口部にカールプレート１５０の後端部１５６が接触する支持板１２６がスライド可能に挿入され、この支持板１２６の内側にスプリング１２８が設けられる。カールプレート１５０は支持板１２６に加圧されて、セッティングピン１４０に近づく方向に弾性加圧される。
セッティングピン１４０は、円形断面を有する軸形状からなるが、その両側端に十字状の結合溝１４２が形成された構造を有する。ピン支持具１３０には、この結合溝１４２に挿入結合される十字状の結合突起１３２が形成される。セッティングピン１４０の結合溝１４２は、結合突起１３２との結合のために用いられる一方、その外面に巻かれる髪を固定するための輪ゴムのような固定バンドを固定する用途でも用いられる。このセッティングピン１４０の内部に熱線が組み込まれ、必要によって熱パーマを掛けることもできる。
そして、カールプレート１５０はコ字状の断面を有する結合部１５１と、セッティングピン１４０の周囲の一部を囲むように結合部１５１から長く延びたカール部１５２とを含み、結合部１５１の後端側面部には押圧片１５３が備えられる。このようなカールプレート１５０は、結合部１５１がピン支持具１３０に結合ピン１５４でヒンジ結合される。それによって、押圧片１５３を押すとカールプレート１５０全体が回動することでカール部１５２がセッティングピン１４０から離隔し、押圧片１５３を放すとスプリング１２８によって元の位置に戻って、カール部１５２がセッティングピン１４０に近づいた位置を維持する。
一方、このようなカールプレート１５０のカール部１５２の一側端には、くし１５８が一体に形成される。このくし１５８は、後述するように、カールプレート１５０とセッティングピン１４０の間に挟まれた髪が毛根部を通過する隙間を形成する。好ましくは、カールプレート１５０のカール部１５２は、その内側面がＶ字形状からなって、セッティングピン１４２の太さにかかわらず少なくともカール部１５２の内側面の両端部がセッティングピン１４２の外周面に接するように形成される。また、セッティングピン１４０の外周面とカールプレート１５０のカール部１５２の内側面には、髪が均一に巻かれるように、多数の円周方向の溝１４４または突起が形成されることが好ましい。
このように構成された本発明による毛根部パーマ用具の使用状態が図５に示されている。以下、図５を参照しながら本発明による毛根部パーマ用具の使用過程について説明する。
先ず、セッティングピン１４０をピン支持具１３０に結合した後、押圧片１５３を押してカールプレート１５０のカール部１５２をセッティングピン１４０から離隔させる。この状態で、適量の髪２を取って毛根に近い部分をセッティングピン１４０とカールプレート１５０の間に位置させ、押圧片１５３を放してセッティングピン１４０とカール部１５２の間に髪が挟まるようにする。続いて、図５の（ａ）に示すように、連結具１２０を回転させると、セッティングピン１４０とカールプレート１５０が同時に回転しながら、図５の（ｂ）に示すように、髪１がセッティングピン１４０に巻かれるようになる。このとき、カール部１５２のくし１５８が毛根に近い部分を通過しながら髪１がくし１５８の歯によって分割されて、髪の間に一定の間隔で多数の隙間が形成される。この隙間からセッティングピン１４０とカール部１５２の間に位置する髪が通過するようになる。続いて、通過した髪１を細長状のロッドなどを用いて引き出す。このようにすると、髪１の毛根に近い部分がセッティングピン１４０に完全に巻かれるようになる。このとき、図５の（ｃ）に示すように、セッティングピン１４０をピン支持具１３０から分離し、固定キャップ１６０をセッティングピン１４０に装着して、髪がセッティングピン１４０に巻かれた状態で固定されるようにする。
上記では、カールプレート１５０とピン支持具１３０が一緒に回転すると説明したが、場合によっては、カールプレート１５０のみがホルダー１１０に対して回転することもできる。また、カールプレート１５０がホルダー１１０に固定結合されることもできるが、この場合には、施術の際に使用者がパーマ用具を全体的に回転させる必要がある。
図６は、固定キャップ１６０を示す斜視図である。図６に示すように、固定キャップ１６０の断面は、セッティングピン１４０の周囲面を囲む断面形状、すなわち、Ｃ字形状に形成され、セッティングピン１４０に弾性的に着脱される。このような固定キャップ１６０を使用すると、従来のように輪ゴムで髪を固定する場合に比べて、作業が便利である。
このようにして毛根部のパーマが完了すると、髪の残りの部分に必要によってウエーブパーマ、ストレートパーマなど従来のパーマ方式でパーマを掛ける。勿論、本発明のパーマ用具を用いて髪に全体的にパーマを掛けることもできる。本発明のパーマ用具を用いて髪に全体的にパーマを掛けるときは、上述のような過程を多数回繰り返す。本発明によるパーマ用具で髪に全体的にパーマを掛ける場合には、髪の先の部分が最も後でセッティングピン１４０に巻かれるので、髪の先の部分に毛根部に比べて相対的に大きいウエーブが形成されて、自然なスタイルが演出される。
図７及び図８は、本発明の他の実施形態によるパーマ用具を示す図であって、セッティングピン１４０の両端部の外周面に鋸歯１４６が形成され、固定キャップ１６０の内周面に係止あご１６２が形成される。この場合には、セッティングピン１４０に髪を巻いて、固定キャップ１６０をセッティングピン１４０に装着すると、セッティングピン１４０の鋸歯１４６に固定キャップ１６０の係止あご１６２が係止されて、セッティングピン１４０と固定キャップ１６０が無駄に回らないので、髪がほどけずさらに堅固に固定される。
【符号の説明】
【０００８】
１１０            ホルダー
１２０            連結具
１２６            支持板
１３０            ピン支持具
１３２            結合突起
１４０            セッティングピン
１４２            結合溝
１４４            溝
１５０            カールプレート
１５１            結合部
１５２            カール部
１５３            押圧片
１５６            後端部
１５８            くし
【図１】
2012519020.tif 000003
【図２】
2012519020.tif 000004
【図３】
2012519020.tif 000005
【図４】
2012519020.tif 000006
【図５】
2012519020.tif 000007
【図６】
2012519020.tif 000008
【図７】
2012519020.tif 000009
【図８】
2012519020.tif 000010
【国際調査報告】
2012519020.tif 000011
2012519020.tif 000012
2012519020.tif 000013
2012519020.tif 000014